(57)【特許請求の範囲】
【請求項１】
基台を介して連結された一対のリンクアームから成る下部リンク機構と、受け座を介して連結された一対のリンクアームから成る上部リンク機構とを、保持用連結部及び作動用連結部の夫々を介してパンタグラフ状に連結し、前記保持用連結部に一端部を回動自在に且つ軸心方向には移動しないよう保持させたスクリューロッドを前記作動用連結部に螺合し、前記スクリューロッドの保持用連結部より外側へ突き出た部位に装備した回転操作部を介し前記スクリューロッドを回転操作して前記保持用連結部と前記作動用連結部との間隔を拡縮し得るよう構成したパンタグラフジャッキにおいて、軸心方向に伸縮自在で且つ全長に亘り一体的に回転する駆動シャフトと、該駆動シャフトの一端部を前記回転操作部に接続する第一の自在継手と、前記駆動シャフトの他端部を該駆動シャフトを回転操作し得るよう駆動手段の出力軸に接続する第二の自在継手とを備え、前記駆動シャフトが伸縮し且つ回転軸の折れ曲がりを許容されつつ俯仰して前記回転操作部の斜めの動きに追従するよう構成されたことを特徴とするパンタグラフジャッキ。
【請求項２】
非円形断面の内棒と、該内棒に対し少なくとも長手方向の一部を軸心方向に摺動自在に外嵌して軸回りの回転を阻止する外筒とにより駆動シャフトを構成したことを特徴とする請求項１に記載のパンタグラフジャッキ。
【請求項３】
第一の自在継手をガタを持たせたピンジョイントにより構成すると共に、第二の自在継手をカルダンジョイントにより構成したことを特徴とする請求項１又は２に記載のパンタグラフジャッキ。
【請求項４】
請求項１、２又は３に記載のパンタグラフジャッキを駆動手段ごと台車上に搭載して移動し得るように構成したことを特徴とするリフタ。
【発明の詳細な説明】
【技術分野】
【０００１】
本発明は、自動車のタイヤ交換時等に用いるパンタグラフジャッキ及びこれを用いたリフタに関するものである。
【背景技術】
【０００２】
一般的に、自動車のタイヤ交換時等には、図５に示す如きパンタグラフジャッキ１が用いられることが多いが、この種のパンタグラフジャッキ１においては、基台２を介してピン３ａにより連結された一対のリンクアーム３，３から成る下部リンク機構４と、受け座５を介してピン６ａにより連結された一対のリンクアーム６，６から成る上部リンク機構７とが、保持用連結部８及び作動用連結部９の夫々を介してピン８ａ及び９ａによりパンタグラフ状に連結されており、前記保持用連結部８と作動用連結部９との間隔がスクリューロッド１０の回動操作により拡縮し得るよう構成されている。
【０００３】
即ち、前記スクリューロッド１０の一端部（図５における右側端部）が保持用連結部８に対し回動自在に且つ軸心方向には移動しないよう保持され且つ該保持用連結部８より外側へ突き出た位置に回転操作部１２を設けられており、前記スクリューロッド１０の他端部（図５における左側端部）側から一端部側へ向け所要範囲に亘って形成されたネジ部１１が作動用連結部９に螺合されている。
【０００４】
而して、斯かるパンタグラフジャッキ１では、図６に示す如く、回転操作部１２にインパクトレンチ１３等（パンタグラフジャッキハンドルやラチェットハンドルであっても良い）を連結して保持用連結部８と作動用連結部９との間隔が狭まる方向にスクリューロッド１０を回動操作すると、下部リンク機構４及び上部リンク機構７の各リンクアーム３，３及び６，６が起立作動して基台２に対し受け座５がジャッキアップされ、また、保持用連結部８と作動用連結部９との間隔が拡がる方向にスクリューロッド１０を回動操作すると、下部リンク機構４及び上部リンク機構７の各リンクアーム３，３及び６，６が倒伏作動して基台２に対し受け座５がジャッキダウンされることになる。
【０００５】
尚、この種のパンタグラフジャッキに関連する先行技術文献情報としては下記の特許文献１や特許文献２等がある。
【先行技術文献】
【特許文献】
【０００６】
【特許文献１】特開平１１−７９６８９号公報
【特許文献２】実開平６−６７４８９号公報
【発明の概要】
【発明が解決しようとする課題】
【０００７】
しかしながら、前述の如き従来のパンタグラフジャッキ１にあっては、その昇降動作に伴い回転操作部１２が水平方向に変位して斜めに移動することになるため、特にインパクトレンチ１３を用いて急速にジャッキアップする場合に、該インパクトレンチ１３が接続箇所から外れ易いという不具合があり、インパクトレンチ１３を用いて急速にジャッキダウンする場合には、インパクトレンチ１３が図６中に矢印Ａで示すように移動して該インパクトレンチ１３と周辺構造物（タイヤ交換時の場合はホイールハウジング等）との間に手を挟んでしまう虞れがあった。
【０００８】
また、パンタグラフジャッキ１を台車上に搭載して可動式のリフタを構成しようとした場合に、回転操作部１２が昇降動作中に斜めに移動してしまうことでインパクトレンチ１３等の駆動手段を前記台車上に固定設置することができず、これが要因となって取り扱い易いリフタの実現が阻まれているという側面もあった。
【０００９】
本発明は上述の実情に鑑みてなしたもので、インパクトレンチ等の駆動手段を固定したまま昇降動作を行い得るパンタグラフジャッキを提供し、該パンタグラフジャッキを用いた取り扱い易いリフタを実現することを目的とする。
【課題を解決するための手段】
【００１０】
本発明は、基台を介して連結された一対のリンクアームから成る下部リンク機構と、受け座を介して連結された一対のリンクアームから成る上部リンク機構とを、保持用連結部及び作動用連結部の夫々を介してパンタグラフ状に連結し、前記保持用連結部に一端部を回動自在に且つ軸心方向には移動しないよう保持させたスクリューロッドを前記作動用連結部に螺合し、前記スクリューロッドの保持用連結部より外側へ突き出た部位に装備した回転操作部を介し前記スクリューロッドを回転操作して前記保持用連結部と前記作動用連結部との間隔を拡縮し得るよう構成したパンタグラフジャッキにおいて、軸心方向に伸縮自在で且つ全長に亘り一体的に回転する駆動シャフトと、該駆動シャフトの一端部を前記回転操作部に接続する第一の自在継手と、前記駆動シャフトの他端部を該駆動シャフトを回転操作し得るよう駆動手段の出力軸に接続する第二の自在継手とを備え、前記駆動シャフトが伸縮し且つ回転軸の折れ曲がりを許容されつつ俯仰して前記回転操作部の斜めの動きに追従するよう構成されたことを特徴とするものである。
【００１１】
而して、このようにすれば、駆動手段により駆動シャフトを回転操作して保持用連結部と作動用連結部との間隔が狭まる方向にスクリューロッドを回動操作すると、下部リンク機構及び上部リンク機構の各リンクアームが起立作動して基台に対し受け座がジャッキアップされ、また、保持用連結部と作動用連結部との間隔が拡がる方向にスクリューロッドを回動操作すると、下部リンク機構及び上部リンク機構の各リンクアームが倒伏作動して基台に対し受け座がジャッキダウンされることになる。
【００１２】
この際、昇降動作に伴い回転操作部が水平方向に変位して斜めに移動することになるが、駆動シャフトが伸縮し且つ第一の自在継手及び第二の自在継手により回転軸の折れ曲がりを許容されつつ俯仰して回転操作部の斜めの動きに追従するので、駆動手段を所定の位置に固定したまま操作することが可能となり、ジャッキアップ時に駆動手段が接続箇所から外れ易くなる不具合や、ジャッキダウン時に駆動手段と周辺構造物との間に手を挟む虞れが解消されることになる。
【００１３】
また、本発明のパンタグラフジャッキをより具体的に実施するにあたっては、非円形断面の内棒と、該内棒に対し少なくとも長手方向の一部を軸心方向に摺動自在に外嵌して軸回りの回転を阻止する外筒とにより駆動シャフトを構成することが可能であり、更には、第一の自在継手をガタを持たせたピンジョイントにより構成すると共に、第二の自在継手をカルダンジョイントにより構成することも可能である。
【００１４】
また、このように駆動手段を固定したまま昇降動作を行い得るパンタグラフジャッキを駆動手段ごと台車上に搭載して移動し得るようにリフタを構成すれば、作業場所に台車を移動して簡便にジャッキアップやジャッキダウンの作業を行うことが可能な取り扱い易い可動式のリフタを実現することが可能となる。
【発明の効果】
【００１５】
上記した本発明のパンタグラフジャッキ及びこれを用いたリフタによれば、下記の如き種々の優れた効果を奏し得る。
【００１６】
（Ｉ）本発明の請求項１−３に記載の発明によれば、駆動手段を所定の位置に固定したまま操作することができるので、ジャッキアップ時に駆動手段が接続箇所から外れ易くなる不具合や、ジャッキダウン時に駆動手段と周辺構造物との間に手を挟む虞れを解消することができ、パンタグラフジャッキにおける操作性と保安性の大幅な向上を図ることができる。
【００１７】
（ＩＩ）本発明の請求項４に記載の発明によれば、作業場所に台車を移動して簡便にジャッキアップやジャッキダウンの作業を行うことが可能な取り扱い易い可動式のリフタを実現することができる。
【図面の簡単な説明】
【００１８】
【図１】本発明を実施する形態の一例を示す側面図である。
【図２】図１の要部の詳細を示す拡大図である。
【図３】図２の駆動シャフトの詳細を示す斜視図である。
【図４】図１のパンタグラフジャッキを用いたリフタの一例を示す側面図である。
【図５】従来例を示す側面図である。
【図６】図５のパンタグラフジャッキの昇降動作に関する説明図である。
【発明を実施するための形態】
【００１９】
以下本発明の実施の形態を図面を参照しつつ説明する。
【００２０】
図１〜図４は本発明を実施する形態の一例を示すもので、図５及び図６と同一の符号を付した部分は同一物を表わしている。
【００２１】
図１に示す如く、本形態例のパンタグラフジャッキ２０においては、先に説明した図５及び図６の従来例の場合と同様に、基台２を介してピン３ａにより連結された一対のリンクアーム３，３から成る下部リンク機構４と、受け座５を介してピン６ａにより連結された一対のリンクアーム６，６から成る上部リンク機構７とを、保持用連結部８及び作動用連結部９の夫々を介してピン８ａ及び９ａによりパンタグラフ状に連結し、前記保持用連結部８に一端部を回動自在に且つ軸心方向には移動しないよう保持させたスクリューロッド１０を前記作動用連結部９に螺合し、前記スクリューロッド１０の保持用連結部８より外側へ突き出た部位に装備した回転操作部１２を介し前記スクリューロッド１０を回転操作して前記保持用連結部８と作動用連結部９との間隔を拡縮し得るよう構成しているが、軸心方向に伸縮自在で且つ全長に亘り一体的に回転する駆動シャフト１４と、該駆動シャフト１４の一端部を前記回転操作部１２に接続する第一の自在継手と、前記駆動シャフト１４の他端部を該駆動シャフト１４を回転操作し得るようインパクトレンチ１３（駆動手段）の出力軸に接続する第二の自在継手とを備えたところを特徴としている。
【００２２】
図２及び図３に示す如く、前記駆動シャフト１４は、非円形断面の内棒１５と、該内棒１５に対し少なくとも長手方向の一部を軸心方向に摺動自在に外嵌して軸回りの回転を阻止する外筒１６とにより構成することが可能であり、ここに図示している例では、六角形断面のロングナットを内棒１５とし、該内棒１５の六角形断面に対応した摺動穴を有するボス部１６ａを入口に備えた丸パイプを外筒１６としている。
【００２３】
また、ここに図示している例の場合は、駆動シャフト１４の一端部を前記回転操作部１２に接続する第一の自在継手を、前記内棒１５のコの字型の末端における内側を末広がり状に形成することでガタを持たせたピンジョイント１７により構成しており、駆動シャフト１４の他端部を該駆動シャフト１４を回転操作し得るようインパクトレンチ１３の出力軸に接続する第二の自在継手を、二本の回転軸の末端（ヨーク）をコの字型にし且つ互い違いに合わせて両者を十字軸（クロススパイダー）で連結したカルダンジョイント１８により構成している。
【００２４】
而して、このようにすれば、インパクトレンチ１３により駆動シャフト１４を回転操作して保持用連結部８と作動用連結部９との間隔が狭まる方向にスクリューロッド１０を回動操作すると、下部リンク機構４及び上部リンク機構７の各リンクアーム３，３及び６，６が起立作動して基台２に対し受け座５がジャッキアップされ、また、保持用連結部８と作動用連結部９との間隔が拡がる方向にスクリューロッド１０を回動操作すると、下部リンク機構４及び上部リンク機構７の各リンクアーム３，３及び６，６が倒伏作動して基台２に対し受け座５がジャッキダウンされることになる。
【００２５】
この際、昇降動作に伴い回転操作部１２が水平方向に変位して斜めに移動することになるが、駆動シャフト１４が伸縮し且つピンジョイント１７及びカルダンジョイント１８により回転軸の折れ曲がりを許容されつつ俯仰して回転操作部１２の斜めの動きに追従するので、インパクトレンチ１３を所定の位置に固定したまま操作することが可能となり、ジャッキアップ時にインパクトレンチ１３が接続箇所から外れ易くなる不具合や、ジャッキダウン時にインパクトレンチ１３と周辺構造物との間に手を挟む虞れが解消されることになる。
【００２６】
また、図４に示す如く、このようにインパクトレンチ１３を固定したまま昇降動作を行い得るパンタグラフジャッキ２０をインパクトレンチ１３ごと台車１９上に搭載して移動し得るようにリフタ２１を構成すれば、作業場所に台車１９を移動して簡便にジャッキアップやジャッキダウンの作業を行うことが可能な取り扱い易い可動式のリフタ２１を実現することが可能となる。
【００２７】
従って、上記形態例によれば、インパクトレンチ１３を所定の位置に固定したまま操作することができるので、ジャッキアップ時にインパクトレンチ１３が接続箇所から外れ易くなる不具合や、ジャッキダウン時にインパクトレンチ１３と周辺構造物との間に手を挟む虞れを解消することができ、パンタグラフジャッキ２０における操作性と保安性の大幅な向上を図ることができ、また、作業場所に台車１９を移動して簡便にジャッキアップやジャッキダウンの作業を行うことが可能な取り扱い易い可動式のリフタ２１を実現することができる。
【００２８】
尚、本発明のパンタグラフジャッキ及びこれを用いたリフタは、上述の形態例にのみ限定されるものではなく、駆動シャフトはスプラインを採用したものであっても良いこと、駆動手段にはインパクトレンチ以外にパンタグラフジャッキハンドルやラチェットハンドル等を用いても良いこと、第一の自在継手及び第二の自在継手の具体的な構造は図示例に限定されないこと、その他、本発明の要旨を逸脱しない範囲内において種々変更を加え得ることは勿論である。
【符号の説明】
【００２９】
２      基台
３      リンクアーム
４      下部リンク機構
５      受け座
６      リンクアーム
７      上部リンク機構
８      保持用連結部
９      作動用連結部
１０    スクリューロッド
１２    回転操作部
１３    インパクトレンチ（駆動手段）
１４    駆動シャフト
１５    内棒
１６    外筒
１７    ピンジョイント（第一の自在継手）
１８    カルダンジョイント（第二の自在継手）
１９    台車
２０    パンタグラフジャッキ
２１    リフタ
【図１】
0006646388.tif 000002
【図２】
0006646388.tif 000003
【図３】
0006646388.tif 000004
【図４】
0006646388.tif 000005
【図５】
0006646388.tif 000006
【図６】
0006646388.tif 000007